(57)【特許請求の範囲】
【請求項１】
電子書籍を実行する過程と、
前記電子書籍が表示された画面の予め設定されたＵＩ作動領域でタッチダウンが入力され、該タッチダウンが入力されている状態で第１方向にドラッグが入力されたか否かをチェックする過程と、
前記タッチダウンが入力されている状態で第１方向にドラッグ及びタッチアップが入力された時、前のページ又は次のページを画面に表示する過程と、
前記タッチダウンが入力されている状態で第２方向にドラッグされた場合、ドラッグの距離によって現在のページから増加又は減少するページ数を表示する過程と、
前記第２方向にドラッグされた入力が第１方向にドラッグ及びタッチアップされた場合、前記表示されたページ数に対応するページを画面に表示する過程と、
を含むことを特徴とする電子書籍の機能を有するポータブル端末における電子書籍のページめくりの方法。
【請求項２】
前記前のページ又は次のページを画面に表示する過程は、
前記タッチダウンが入力されている状態で左側の方向にドラッグ及びタッチアップが入力された時、開いているページの１ページ次のページを画面に表示する過程と、
前記タッチダウンが入力されている状態で右側の方向にドラッグ及びタッチアップが入力された時、開いているページの１ページ前のページを画面に表示する過程と、
をさらに含むことを特徴とする請求項１に記載の電子書籍の機能を有するポータブル端末における電子書籍のページめくりの方法。
【請求項３】
前記電子書籍が表示された画面の右側の一部領域は、右側ＵＩ作動領域として表示され、
前記電子書籍が表示された画面の左側の一部領域は、左側ＵＩ作動領域として表示されていることを特徴とする請求項１に記載の電子書籍の機能を有するポータブル端末における電子書籍のページめくりの方法。
【請求項４】
前記電子書籍が表示された画面の予め設定された右側ＵＩ作動領域でタッチダウンが入力されたか否かをチェックする過程と、
前記電子書籍が表示された画面の予め設定された右側ＵＩ作動領域でタッチダウンが入力された時、前記タッチダウンされた入力のドラッグの方向をチェックする過程と、
前記タッチダウンが入力されている状態で左側の方向にドラッグ及びタッチアップが入力された時、開いているページの１ページ次のページを画面に表示する過程と、
をさらに含むことを特徴とする請求項３に記載の電子書籍の機能を有するポータブル端末における電子書籍のページめくりの方法。
【請求項５】
前記電子書籍が表示された画面の予め設定された右側ＵＩ作動領域でタッチダウンが入力されたか否かをチェックする過程と、
前記電子書籍が表示された画面の予め設定された右側ＵＩ作動領域でタッチダウンが入力された時、前記タッチダウンされた入力のドラッグの方向をチェックする過程と、
前記タッチダウンが入力されている状態で右側の方向にドラッグされた場合、ドラッグの距離によって増加するページ数を表示する過程と、
をさらに含むことを特徴とする請求項３に記載の電子書籍の機能を有するポータブル端末における電子書籍のページめくりの方法。
【請求項６】
前記電子書籍が表示された画面の予め設定された左側ＵＩ作動領域でタッチダウンが入力されたか否かをチェックする過程と、
前記電子書籍が表示された画面の予め設定された左側ＵＩ作動領域でタッチダウンが入力された時、前記タッチダウンされた入力のドラッグ方向をチェックする過程と、
前記タッチダウンが入力されている状態で右側の方向にドラッグ及びタッチアップが入力された時、開いているページの１ページ前のページを画面に表示する過程と、
をさらに含むことを特徴とする請求項３に記載の電子書籍の機能を有するポータブル端末における電子書籍のページめくりの方法。
【請求項７】
前記電子書籍が表示された画面の予め設定された左側ＵＩ作動領域でタッチダウンが入力されたか否かをチェックする過程と、
前記電子書籍が表示された画面の予め設定された左側ＵＩ作動領域でタッチダウンが入力された時、前記タッチダウンされた入力のドラッグの方向をチェックする過程と、
前記タッチダウンが入力されている状態で左側の方向にドラッグされた場合、ドラッグの距離によって減少するページ数を表示する過程と、
をさらに含むことを特徴とする請求項３に記載の電子書籍の機能を有するポータブル端末における電子書籍のページめくりの方法。
【請求項８】
前記電子書籍が表示された画面の予め設定された上側ＵＩ作動領域でブックマークのオン（Ｏｎ）・スイッチがタッチされたか否かをチェックする過程と、
前記電子書籍が表示された画面の予め設定された上側ＵＩ作動領域でブックマークのオン・スイッチがタッチされた時、ブックマーク機能を活性化する過程と、
前記電子書籍が表示された画面の予め設定された上側ＵＩ作動領域でタッチダウンが入力され、該タッチダウンが入力されている状態で下側の方向にドラッグが入力されたか否かをチェックする過程と、
前記電子書籍が表示された画面の予め設定された上側ＵＩ作動領域でタッチダウンが入力され、該タッチダウンが入力されている状態で下側の方向にドラッグが入力された時、追加するブックマークに対応するクリップを生成する過程と、
前記ドラッグが入力されている状態でタッチアップが入力されたか否かをチェックする過程と、
前記ドラッグが入力されている状態でタッチアップが入力された時、該タッチアップが入力された位置に前記生成されたクリップを位置させる過程と、
をさらに含むことを特徴とする請求項１に記載の電子書籍の機能を有するポータブル端末における電子書籍のページめくりの方法。
【請求項９】
前記電子書籍が表示された画面で追加されたブックマークに対応するクリップに対してタッチダウンが入力されたか否かをチェックする過程と、
前記電子書籍が表示された画面で追加されたブックマークに対応するクリップに対してタッチダウンが入力された時、当該ブックマークのページを表示する過程と、
前記ブックマークのページが表示されているクリップに対してロングタッチが検知されたか否かをチェックする過程と、
前記ブックマークのページが表示されているクリップに対してロングタッチが検知された時、前記追加されたブックマークに対する情報を表示する過程と、
をさらに含むことを特徴とする請求項８に記載の電子書籍の機能を有するポータブル端末における電子書籍のページめくりの方法。
【請求項１０】
前記電子書籍が表示された画面で追加されたブックマークに対応するクリップに対してタッチダウンが入力されたか否かをチェックする過程と、
前記電子書籍が表示された画面で追加されたブックマークに対応するクリップに対してタッチダウンが入力された時、当該ブックマークのページを表示する過程と、
前記ブックマークのページが表示されているクリップに対してタッチダウンが入力されている状態で、左側もしくは右側の方向にドラッグ及びタッチアップが入力されたか否かをチェックする過程と、
前記ブックマークのページが表示されているクリップに対してタッチダウンが入力されている状態で左側もしくは右側の方向にドラッグ及びタッチアップが入力された時、前記追加されたブックマークに対応するブックマークのページに移動する過程と、
をさらに含むことを特徴とする請求項８に記載の電子書籍の機能を有するポータブル端末における電子書籍のページめくりの方法。
【請求項１１】
前記電子書籍が表示された画面で追加されたブックマークに対応するクリップに対してタッチダウンが入力され、該タッチダウンが入力されている状態で上側の方向にドラッグ及びタッチアップが入力されたか否かをチェックする過程と、
前記電子書籍が開かれた画面で追加されたブックマークに対応するクリップに対してタッチダウンが入力され、該タッチダウンが入力されている状態で上側の方向にドラッグ及びタッチアップが入力された時、前記追加されたブックマークに対応するクリップを削除する過程と、
をさらに含むことを特徴とする請求項８に記載の電子書籍の機能を有するポータブル端末における電子書籍のページめくりの方法。
【請求項１２】
電子書籍を実行し、表示部を制御して、
前記電子書籍が表示された画面の予め設定されたＵＩ作動領域でタッチダウンが入力され、該タッチダウンが入力されている状態で第１方向にドラッグが入力されたか否かをチェックし、
前記タッチダウンが入力されている状態で第１方向にドラッグ及びタッチアップが入力された時、前のページ又は次のページを画面に表示し、
前記タッチダウンが入力されている状態で第２方向にドラッグされた場合、ドラッグの距離によって現在のページから増加又は減少するページ数を表示し、
前記第２方向にドラッグされた入力が第１方向にドラッグ及びタッチアップされた場合、前記表示されたページ数に対応するページを画面に表示するように制御する制御部を含むことを特徴とする電子書籍の機能を有するポータブル端末における電子書籍のページめくりの装置。
【請求項１３】
前記制御部は、
前記タッチダウンが入力されている状態で左側の方向にドラッグ及びタッチアップが入力された時、開いているページの１ページ次のページを画面に表示し、
前記タッチダウンが入力されている状態で右側の方向にドラッグ及びタッチアップが入力された時、開いているページの１ページ前のページを画面に表示することを特徴とする請求項１２に記載の電子書籍の機能を有するポータブル端末における電子書籍のページめくりの装置。
【請求項１４】
前記電子書籍が表示された画面の右側の一部領域は右側ＵＩ作動領域に仕分けされ、
前記電子書籍が表示された画面の左側の一部領域は左側ＵＩ作動領域に仕分けされることを特徴とする請求項１２に記載の電子書籍の機能を有するポータブル端末における電子書籍のページめくりの装置。
【請求項１５】
前記制御部は、
前記電子書籍が表示された画面の予め設定された右側ＵＩ作動領域でタッチダウンが入力されたか否かをチェックし、
前記電子書籍が表示された画面の予め設定された右側ＵＩ作動領域でタッチダウンが入力された時、前記タッチダウンされた入力のドラッグの方向をチェックし、
前記タッチダウンが入力されている状態で左側の方向にドラッグ及びタッチアップが入力された時、開いているページの１ページ次のページを画面に表示することを特徴とする請求項１４に記載の電子書籍の機能を有するポータブル端末における電子書籍のページめくりの装置。
【請求項１６】
前記制御部は、
前記電子書籍が表示された画面の予め設定された右側ＵＩ作動領域でタッチダウンが入力されたか否かをチェックし、
前記電子書籍が表示された画面の予め設定された右側ＵＩ作動領域でタッチダウンが入力された時、前記タッチダウンされた入力のドラッグの方向をチェックし、
前記タッチダウンが入力されている状態で右側の方向にドラッグされた場合、ドラッグの距離によって増加するページ数を表示することを特徴とする請求項１４に記載の電子書籍の機能を有するポータブル端末における電子書籍のページめくりの装置。
【請求項１７】
前記制御部は、
前記電子書籍が表示された画面の予め設定された左側ＵＩ作動領域でタッチダウンが入力されたか否かをチェックし、
前記電子書籍が表示された画面の予め設定された左側ＵＩ作動領域でタッチダウンが入力された時、前記タッチダウンされている入力のドラッグの方向をチェックし、
前記タッチダウンが入力されている状態で右側の方向にドラッグ及びタッチアップが入力された時、開いているページの１ページ前のページを画面に表示することを特徴とする請求項１４に記載の電子書籍の機能を有するポータブル端末における電子書籍のページめくりの装置。
【請求項１８】
前記制御部は、
前記電子書籍が表示された画面の予め設定された左側ＵＩ作動領域でタッチダウンが入力されたか否かをチェックし、
前記電子書籍が表示された画面の予め設定された左側ＵＩ作動領域でタッチダウンが入力された時、前記タッチダウンされた入力のドラッグの方向をチェックし、
前記タッチダウンが入力されている状態で左側の方向にドラッグされた場合、ドラッグの距離によって減少するページ数を表示することを特徴とする請求項１４に記載の電子書籍の機能を有するポータブル端末における電子書籍のページめくりの装置。
【請求項１９】
前記制御部は、
前記電子書籍が表示された画面の予め設定された上側ＵＩ作動領域でブックマークのオン（Ｏｎ）・スイッチがタッチされたか否かをチェックし、
前記電子書籍が表示された画面の予め設定された上側ＵＩ作動領域でブックマークのオン・スイッチがタッチされた時、ブックマーク機能を活性化し、
前記電子書籍が表示された画面の予め設定された上側ＵＩ作動領域でタッチダウンが入力され、該タッチダウンが入力された状態で下側の方向にドラッグが入力されたか否かをチェックし、
前記電子書籍が表示された画面の予め設定された上側ＵＩ作動領域でタッチダウンが入力され、該タッチダウンが入力された状態で下側の方向にドラッグが入力された時、追加するブックマークに対応するクリップを生成し、
前記ドラッグが入力された状態でタッチアップが入力されたか否かをチェックし、
前記ドラッグが入力された状態でタッチアップが入力された時、該タッチアップが入力されている位置に前記生成されたクリップを位置させることを特徴とする請求項１２に記載の電子書籍の機能を有するポータブル端末における電子書籍のページめくりの装置。
【請求項２０】
前記制御部は、
前記電子書籍が表示された画面で追加されたブックマークに対応するクリップに対してタッチダウンが入力されたか否かをチェックし、
前記電子書籍が表示された画面で追加されたブックマークに対応するクリップに対してタッチダウンが入力された時、前記表示部を制御して当該ブックマークのページを表示し、
前記ブックマークのページが表示されているクリップに対してロングタッチが検知されたか否かをチェックし、
前記ブックマークのページが表示されているクリップに対してロングタッチが検知された時、前記表示部を制御して前記追加されたブックマークに対する情報を表示することを特徴とする請求項１２に記載の電子書籍の機能を有するポータブル端末における電子書籍のページめくりの装置。
【請求項２１】
前記制御部は、
前記電子書籍が表示された画面で追加されたブックマークに対応するクリップに対してタッチダウンが入力されたか否かをチェックし、
前記電子書籍が表示された画面で追加されたブックマークに対応するクリップに対してタッチダウンが入力された時、前記表示部を制御して当該ブックマークのページを表示し、
前記ブックマークのページが表示されているクリップに対してタッチダウンが入力されている状態で左側もしくは右側の方向にドラッグ及びタッチアップが入力されたか否かをチェックし、
前記ブックマークのページが表示されているクリップに対してタッチダウンが入力されている状態で左側もしくは右側の方向にドラッグ及びタッチアップが入力された時、前記追加されたブックマークに対応するブックマークのページに移動することを特徴とする請求項１９に記載の電子書籍の機能を有するポータブル端末における電子書籍のページめくりの装置。
【請求項２２】
前記制御部は、
前記電子書籍が表示された画面で追加されたブックマークに対応するクリップに対してタッチダウンが入力され、該タッチダウンが入力されている状態で上側の方向にドラッグ及びタッチアップが入力されたか否かをチェックし、
前記電子書籍が表示された画面で追加されたブックマークに対応するクリップに対してタッチダウンが入力され、該タッチダウンが入力されている状態で上側の方向にドラッグ及びタッチアップが入力された時、前記追加されたブックマークに対応するクリップを削除することを特徴とする請求項１９に記載の電子書籍の機能を有するポータブル端末における電子書籍のページめくりの装置。
【発明の詳細な説明】
【技術分野】
【０００１】
本発明は、ポータブル端末に係り、より詳しくは、電子書籍の閲覧の機能を有するポータブル端末における電子書籍のページめくり装置及びその方法に関する。
【背景技術】
【０００２】
ポータブル端末は、携帯可能な利便性により急速に普及しており、サービス提供者（端末製造者）は多数の使用者を獲得するために、より高度な機能を有する端末の開発に注力している。
そのため、ポータブル端末においては、例えば、フォーンブック（Ｐｈｏｎｅ  Ｂｏｏｋ）、ゲーム（Ｇａｍｅ）、スケジューラ（Ｓｃｈｅｄｕｌｅｒ）、短文メッセージ（Ｓｈｏｒｔ  Ｍｅｓｓａｇｅ）、インターネット（Ｉｎｔｅｒｎｅｔ）、イーメール（Ｅ−ｍａｉｌ）、アラーム（Ａｌａｒｍ）、ＭＰ３（ＭＰＥＧ  Ａｕｄｉｏ  Ｌａｙｅｒ−３）、デジタルカメラ（Ｄｉｇｉｔａｌ  Ｃａｍｅｒａ）、電子辞典、ｅ−ｂｏｏｋ（電子書籍）などの多様な機能を有するポータブル端末が提供されている。
【０００３】
最近では、従来の紙本を代替する情報提供媒体の一つとして、電子的なディスプレー方式でテキスト  コンテンツが閲覧できる電子書籍が登場している。
前記電子書籍は、テキスト  コンテンツをフラッシュ  メモリーや内蔵したハードディスクに保存し、ディスプレー画面を介して保存されたテキスト  コンテンツを閲覧できる方式として、保存された多数の書籍の中から任意の書籍を選択して閲覧できるという長所がある。
【０００４】
この時、ディスプレー画面を介して限定された領域のコンテンツのみが表示可能であり、コンテンツの次の内容が引き継き閲覧可能なように、ページ移動やスクロール機能を提供する使用者インターフェース（ＵＩ：Ｕｓｅｒ  Ｉｎｔｅｒｆａｃｅ）が具備されている必要がある。
一般的には、電子書籍に備えられているキー入力手段を利用したページダウン及びページアップ機能により、テキストコンテンツの内容を移動させながら画面に表示することが可能であり、このような方式によって使用者は電子書籍に保存されたテキストコンテンツの全体の内容を閲覧することができる。
【０００５】
しかし、このようなキー操作によってページをめくる方式のインターフェースは、一番基本的な形態の方向制御方式に過ぎないだけで、使用者が使いやすいようにエルゴノミクス的な観点で考案された方式ではないので、使用者が自然にコンテンツのページを切り替える点で、どうしても不便さを感じてしまうという問題点があった。
【先行技術文献】
【特許文献】
【０００６】
【特許文献１】韓国特許公開第１０−２００２−００６３３８１号公報
【発明の概要】
【発明が解決しようとする課題】
【０００７】
本発明は、上記問題点を解決するためのものであって、本発明の目的は、電子書籍の機能を有する有するポータブル端末において、キー操作によらない電子書籍のページめくりが可能な装置及び方法を提供することにある。
本発明の他の目的は、電子書籍の機能を有するポータブル端末において、使用者が実際の本をめくるような感じで、自然にコンテンツのページを切り替えることができるアナログ感覚の電子書籍のページめくりの装置及び方法を提供することにある。
【課題を解決するための手段】
【０００８】
上記目的を達成するための本発明の一態様による電子書籍の機能を有するポータブル端末における電子書籍のページめくりの方法は、電子書籍を実行する過程と、前記電子書籍が表示された画面の予め設定されたＵＩ作動領域でタッチダウンが入力され、該タッチダウンが入力されている状態で第１方向にドラッグが入力されたか否かをチェックする過程と、前記タッチダウンが入力されている状態で第１方向にドラッグ及びタッチアップが入力された時、前のページ又は次のページを画面に表示する過程と、前記タッチダウンが入力されている状態で第２方向にドラッグされた場合、ドラッグの距離によって現在のページから増加又は減少するページ数を表示する過程と、前記第２方向にドラッグされた入力が第１方向にドラッグ及びタッチアップされた場合、前記表示されたページ数に対応するページを画面に表示する過程と、を含むことを特徴とする。
【０００９】
上記目的を達成するための本発明の一態様による電子書籍の機能を有するポータブル端末における電子書籍のページめくりの装置は、電子書籍を実行し、電子書籍が表示された画面の予め設定されたＵＩ作動領域でタッチダウンが入力され、該タッチダウンが入力されている状態で第１方向にドラッグが入力されたか否かをチェックし、前記タッチダウンが入力されている状態で第１方向にドラッグ及びタッチアップが入力された時、前のページ又は次のページを画面に表示し、前記タッチダウンが入力されている状態で第２方向にドラッグされた場合、ドラッグの距離によって現在のページから増加又は減少するページ数を表示し、前記第２方向にドラッグされた入力が第１方向にドラッグ及びタッチアップされた場合、前記表示されたページ数に対応するページを画面に表示する制御部を含むことを特徴とする。
【発明の効果】
【００１０】
本発明によれば、電子書籍の機能を有するポータブル端末におけるアナログ感覚の電子書籍のページめくりの装置及び方法が提供され、使用者が器機の使い方を覚えなくてもあたかも実際の本をめくるような感覚で自然にコンテンツのページを切り替えることができる。
【図面の簡単な説明】
【００１１】
【図１】電子書籍の機能を有するポータブル端末の装置構成を示すブロック図である。
【図２】本発明の実施形態に係る電子書籍の機能を有するポータブル端末におけるアナログ感覚で電子書籍を一ページずつめくる方法を示す例示図である。
【図３】本発明の実施形態に係る電子書籍の機能を有するポータブル端末におけるアナログ感覚で電子書籍を一ページずつめくる方法を示す流れ図である。
【図４】本発明の実施形態に係る電子書籍の機能を有するポータブル端末におけるアナログ感覚で電子書籍を複数のページずつめくる方法を示す例示図である。
【図５】本発明の実施形態に係る電子書籍の機能を有するポータブル端末におけるアナログ感覚で電子書籍を複数のページずつめくる方法を示す流れ図である。
【図６】本発明の実施形態に係る電子書籍の機能を有するポータブル端末におけるアナログ感覚で電子書籍を複数のページずつめくる方法を示す流れ図である。
【図７】本発明の実施形態に係る電子書籍の機能を有するポータブル端末における電子書籍にブックマークを追加付与するための方法を示す例示図である。
【図８】本発明の実施形態に係る電子書籍の機能を有するポータブル端末における電子書籍にブックマークを追加付与するための方法を示す流れ図である。
【図９】本発明の実施形態に係る電子書籍の機能を有するポータブル端末における電子書籍にブックマークを追加付与するための方法を示す流れ図である。
【発明を実施するための最良の形態】
【００１２】
以下に添付した図面を参照して本発明の実施形態に係る動作原理について詳述する。以下の説明において、公知の機能または構成に関する具体的な説明が本発明の要旨を不明確にすると判断される場合には、その詳細な説明を省略する。
また、以下の説明で用いられる用語は、本発明での機能を考慮して定義された用語として用いるもので、これは使用者、運用者の意図または慣例などによって変わるものである。従って、その定義は本明細書の全般にわたる内容に基づいて理解されるものである。。
【００１３】
以下に、本発明の好ましい実施形態に係る電子書籍の機能を有するポータブル端末におけるアナログ感覚の電子書籍のページめくりの方法について説明する。
以下の説明において、ポータブル端末は、タッチパネルを具備するセルラ電話機（Ｃｅｌｌｕｌａｒ  Ｐｈｏｎｅ）、個人携帯通信電話機（Ｐｅｒｓｏｎａｌ  Ｃｏｍｍｕｎｉｃａｔｉｏｎ  Ｓｙｓｔｅｍ：ＰＣＳ）、複合無線端末（Ｐｅｒｓｏｎａｌ  Ｄａｔａ  Ａｓｓｉｓｔａｎｔ：ＰＤＡ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末などを含み、以下の説明は、前記例の一般的な構成に基づいて行う。
【００１４】
図１は、電子書籍の機能を有するポータブル端末の装置構成を示すブロック図である。
図１に示すように、ポータブル端末は、制御部１００と、メモリー１０２と、入力部１０４と、表示部１０６と、電子書籍ビューアー１０８と、通信部１１０と、を含んで構成されている。
【００１５】
図１を参照すれば、制御部１００は、ポータブル端末の全般的な動作を制御し、本発明に係るアナログ感覚の電子書籍のページめくりの機能を処理する。
メモリー１０２は、制御部１００の処理及び制御のためのプログラムのマイクロコードと各種の参照データ、各種のプログラム遂行において発生する一時的なデータ、更新可能な各種の保管用データを保存する。特には、本発明に係るアナログ感覚の電子書籍のページめくりのためのプログラムを保存する。
【００１６】
入力部１０４は、数字キーボタンと多数の機能キーボタンを備え、使用者が押すキーボタンに対応するキーボタン入力データを制御部１００に提供する。
表示部１０６は、ポータブル端末の動作中に発生する状態情報、制限された数字、多量の動映像及び静止映像などを表示する。このような通常的な機能に加え、本発明の実施形態に係る装置の表示部１０６は、タッチパネルの形態で形成されて入力部１０４の機能を遂行し、使用者のタッチ入力を感知して制御部１００に送る。
【００１７】
電子書籍ビューアー１０８は、使用者が実際に本をめくるような感覚で自然にコンテンツのページを切り替えるようにアナログ感覚で電子書籍を一ページずつもしくは複数のページずつめくる役目を遂行し、さらに電子書籍にブックマークを追加付与する。
【００１８】
通信部１１０は、アンテナを介して入出力される無線信号を送受信処理する機能を遂行する。
例えば、送信の場合、送信するデータをチャンネルコーディング（ｃｈａｎｎｅｌ  ｃｏｄｉｎｇ）及び拡散（ｓｐｒｅａｄｉｎｇ）した後、ＲＦ（Ｒａｄｉｏ  Ｆｒｅｑｕｅｎｃｙ）処理して送信する機能を遂行し、受信の場合、受信されるＲＦ信号を基底帯域信号（ｄｅｓｐｒｅａｄｉｎｇ）及びチャンネル復号（ｃｈａｎｎｅｌ  ｄｅｃｏｄｉｎｇ）してデータを復元する機能を遂行する。
【００１９】
図２は、本発明の実施形態に係る電子書籍の機能を有するポータブル端末におけるアナログ感覚で電子書籍を一ページずつめくる方法を示す例示図である。
図２を参照すれば、ポータブル端末は電子書籍の機能を実行して、使用者によって選択された電子書籍の予め設定されたページを画面に表示する。
【００２０】
この時、画面の右側の一部領域は、右側ＵＩ作動領域として表示され、画面の左側の一部領域は、左側ＵＩ作動領域として表示される。
ここで、右側ＵＩ作動領域と左側ＵＩ作動領域は、当該ポータブル端末の画面に表示されるように予め設定されている。
図２の（ａ）に示すように、電子書籍が表示された画面の予め設定された右側ＵＩ作動領域より左側でタッチダウンが入力され、タッチダウンが入力されている状態で右側の方向にドラッグ及びタッチアップが入力されると、ポータブル端末はそれまで開いていたページの１ページ前のページを画面に表示する。
また、図２の（ｂ）に示すように、電子書籍が表示された画面の予め設定された左側ＵＩ作動領域より右側でタッチダウンが入力され、タッチダウンが入力されている状態で左側の方向にドラッグ及びタッチアップが入力されると、ポータブル端末はそれまで開いていたページの１ページ次のページを画面に表示する。
【００２１】
図３は、本発明の実施形態に係る電子書籍の機能を有するポータブル端末におけるアナログ感覚で電子書籍を一ページずつめくる方法を示す流れ図である。
【００２２】
図３を参照すれば、ポータブル端末は、Ｓ３０１において使用者のキー操作によって電子書籍の機能の実行要請がされているかどうかをチェックする。
Ｓ３０１で、電子書籍の機能の実行要請を検知すれば、ポータブル端末はＳ３０３で電子書籍の機能を実行し、電子書籍の機能の設定情報により、使用者によって選択された電子書籍の予め設定されたページを表示する。
例えば、電子書籍の機能の設定情報には、電子書籍の機能の実行時、当該電子書籍の初ページから表示するとか、あるいは当該電子書籍に対して以前に最後に表示されているページから表示するように予め設定することができる。
【００２３】
以後、ポータブル端末は、Ｓ３０５で電子書籍が表示された画面の予め設定された右側ＵＩ作動領域より左側でタッチダウンが入力され、タッチダウンが入力されている状態で右側の方向にドラッグ及びタッチアップが入力されたか否かをチェックする。
Ｓ３０５で、電子書籍が表示された画面の予め設定された右側ＵＩ作動領域より左側でタッチダウンが入力され、タッチダウンが入力されている状態で右側の方向にドラッグ及びタッチアップが入力されていれば、ポータブル端末はＳ３０７段階で、始動時に開かれたページの１ページ前のページを画面に表示する。
【００２４】
一方、Ｓ３０５で、電子書籍が表示された画面の予め設定された右側ＵＩ作動領域より左側でタッチダウンが入力され、タッチダウンが入力されている状態で右側の方向にドラッグ及びタッチアップが入力されたことが認められない場合、ポータブル端末はＳ３０９で電子書籍が表示された画面の予め設定された左側ＵＩ作動領域より右側でタッチダウンが入力され、タッチダウンが入力されている状態で左側の方向にドラッグ及びタッチアップが入力されたか否かをチェックする。
【００２５】
Ｓ３０９で、電子書籍が表示された画面の予め設定された左側ＵＩ作動領域より右側でタッチダウンが入力されてタッチダウンが入力されている状態で左側の方向にドラッグ及びタッチアップが入力されたと判断された時、ポータブル端末はＳ３１１で開かれていたページの次のページを画面に表示する。
【００２６】
一方、Ｓ３０９で、電子書籍が表示された画面の予め設定された左側ＵＩ作動領域より右側でタッチダウンが入力されてタッチダウンが入力されている状態で左側の方向にドラッグ及びタッチアップが入力されたことが判断されない時、ポータブル端末はＳ３０５に戻りＳ３０５以降を反復遂行する。
【００２７】
図４は、本発明の実施形態に係る電子書籍の機能を有するポータブル端末におけるアナログ感覚で電子書籍を複数のページずつめくる方法を示す例示図である。
図４を参照すれば、ポータブル端末は、電子書籍の機能が実行されると、使用者によって予め選択された電子書籍の設定ページを画面に表示する。この時、画面の右側の一部領域は右側ＵＩ作動領域として表示され、画面の左側の一部領域は左側ＵＩ作動領域として表示される。
この右側ＵＩ作動領域と左側ＵＩ作動領域は、当該ポータブル端末の画面に表示されるように予め設定されている。
【００２８】
ここで使用者が、電子書籍が表示された画面の右側ＵＩ作動領域でタッチダウン操作を行うと、ポータブル端末の画面は電子書籍の右側の横面を表示する。この時、図４の（ａ）のように、タッチダウンが入力されている状態で左側の方向にドラッグ及びタッチアップが入力されれば、ポータブル端末の画面は今まで開かれていたページの次のページを画面に表示する。
【００２９】
一方、図４の（ｂ）のように、タッチダウンが入力されている状態で右側の方向にドラッグが入力されれば、ポータブル端末の画面は電子書籍の右側の横面にドラッグの程度に対応したページ数を表示し、ドラッグが入力されている状態で左側の方向にドラッグ及びタッチアップが入力されると、電子書籍の右側の横面に表示されたページ数分がめくられて、画面にはめくられたページ数に対応した次のページが表示される。
【００３０】
図示していないが、電子書籍画面の左側ＵＩ作動領域でタッチダウンが入力された場合には、ポータブル端末の画面は電子書籍の左側の横面を表示する。この時、タッチダウンが入力されている状態で右側の方向にドラッグ及びタッチアップが入力されれば、ポータブル端末は開かれていたページの１ページ前のページを画面に表示する。
【００３１】
そして、タッチダウンが入力されている状態で左側の方向にドラッグが入力されれば、ポータブル端末の画面は電子書籍の左側の横面に、ドラッグの程度に対応したページ数を表示し、ドラッグが入力されている状態で右側の方向にドラッグ及びタッチアップが入力されれば、減少された電子書籍の左側の横面に表示されたページ数がめくられて、画面にはめくられたページ数に対応した前のページが表示される。
【００３２】
図５及び図６は、本発明の実施形態に係る電子書籍の機能を有するポータブル端末におけるアナログ感覚の電子書籍を複数のページずつめくる方法を示す流れ図である。  
図５、図６を参照すれば、ポータブル端末はＳ５０１で使用者のキー操作によって電子書籍の機能の実行要請がなされたか否かをチェックする。
【００３３】
Ｓ５０１で、電子書籍の機能の実行要請を検知すると、ポータブル端末は、Ｓ５０３で電子書籍の機能を実行して、電子書籍の機能の設定情報によって、使用者によって選択された電子書籍の設定されたページを表示する。
電子書籍の機能の設定情報には、例えば、電子書籍の機能実行時、電子書籍の初ページから表示するとか、あるいは電子書籍を以前に閲覧したときの最後のページから表示するように予め設定することができる。  
【００３４】
この後、ポータブル端末は、Ｓ５０５で電子書籍が表示された画面の予め設定された右側ＵＩ作動領域でタッチダウンが入力されたか否かをチェックするする。
ポータブル端末は、Ｓ５０５において、電子書籍が表示された画面の右側ＵＩ作動領域でタッチダウンが入力されたことを検知すると、Ｓ５０７で電子書籍の右側の横面を画面に表示し、Ｓ５０９に進む。
【００３５】
次に、ポータブル端末は、Ｓ５０９において、右側ＵＩ作動領域でタッチダウンが入力されている状態で左側の方向にドラッグ及びタッチアップが入力されたか否かをチェックする。
Ｓ５０９で、タッチダウンが入力されている状態で左側の方向にドラッグ及びタッチアップが入力されたと判断された時、ポータブル端末は、Ｓ５１１でこれまで開かれていたページの次のページを画面に表示する。
【００３６】
一方、Ｓ５０９において、タッチダウンが入力されている状態で左側の方向にドラッグ及びタッチアップが入力されていないと判断された時、ポータブル端末は、Ｓ５１３において、右側ＵＩ作動領域でタッチダウンが入力されている状態で右側方向にドラッグが入力されたか否かをチェックする。
そして、Ｓ５１３において、タッチダウンが入力されている状態で右側の方向にドラッグが入力されたと検知されれば、ポータブル端末は、Ｓ５１５において電子書籍の右側の横面にドラッグした程度に応じたページ数を表示した後、Ｓ５１７に進む。ここで、右側の横面に表示されるページ数は、ドラッグを行う程度により増加させることができる。
【００３７】
この後、ポータブル端末は、Ｓ５１７においてドラッグが入力されている状態で左側の方向にドラッグ及びタッチアップが入力されたか否かをチェックする。
Ｓ５１７において、ドラッグが入力されている状態で左側の方向にドラッグ及びタッチアップが入力されたと判断された時、ポータブル端末は、Ｓ５１９において電子書籍の右側の横面に表示されたページ数分がめくられて、めくられたページ数に対応する次のページを画面に表示する。
【００３８】
一方、Ｓ５１７において、ドラッグが入力されている状態で左側の方向にドラッグ及びタッチアップが入力されないことと判断される時、端末はＳ５１８でドラッグが入力されている状態で続いて右側の方向にドラッグが入力されたか否かをチェックする。
Ｓ５１８で、ドラッグが入力されている状態で続いて右側の方向にドラッグが入力されたことと判断される時、端末はＳ５１５に返って以下のステップを反復遂行する。
【００３９】
Ｓ５１８において、ドラッグが入力されている状態で続いて右側の方向にドラッグが入力されないことが判断された時、ポータブル端末は、本発明に係るアルゴリズムを終了する。また、ドラッグが入力されている状態で、左側の方向または右側の方向へのドラッグがなく、タッチアップが入力された時、同様に、ポータブル端末は本発明に係るアルゴリズムを終了する。一方、Ｓ５１３において、タッチダウンが入力されている状態で右側の方向にドラッグが入力されないことが判断された時、ポータブル端末は、Ｓ５０９に戻って以下のステップを反復遂行する。
【００４０】
Ｓ５０５において、電子書籍が表示された画面の予め設定された右側ＵＩ作動領域でタッチダウンが入力されていないことが判断された時、ポータブル端末はＳ５２１において電子書籍が表示された画面の予め設定された左側ＵＩ作動領域でタッチダウンが入力されたか否かをチェックする。
Ｓ５２１において、電子書籍が表示された画面の予め設定された左側ＵＩ作動領域でタッチダウンが入力されたと判断された時、ポータブル端末はＳ５２３において電子書籍の左側の横面を画面に表示して、Ｓ５２５に進む。
【００４１】
この後、ポータブル端末は、Ｓ５２５においてタッチダウンが入力されている状態で右側の方向にドラッグ及びタッチアップが入力されたか否かをチェックする。
Ｓ５２５において、タッチダウンが入力されている状態で右側の方向にドラッグ及びタッチアップが入力されたと判断された時、ポータブル端末は、Ｓ５２７において開いていたページの１ページ前のページを画面に表示する。
【００４２】
Ｓ５２５において、タッチダウンが入力されている状態で右側の方向にドラッグ及びタッチアップが入力されていないことが判断された時、ポータブル端末は、Ｓ５２９でタッチダウンが入力されている状態で左側の方向にドラッグが入力されたか否かをチェックする。
Ｓ５２９において、タッチダウンが入力されている状態で左側の方向にドラッグが入力されたと判断された時、ポータブル端末はＳ５３１において電子書籍の左側の横面にドラッグした程度に対応したページ数を表示した後、Ｓ５３３に進む。ここで、左側の横面に表示されるページ数はドラッグを繰り返すことによってページが戻る方向に増加する。
【００４３】
その後、ポータブル端末はＳ５３３においてドラッグが入力されている状態で右側の方向にドラッグ及びタッチアップが入力されたか否かをチェックする。
Ｓ５３３において、ドラッグが入力されている状態で右側の方向にドラッグ及びタッチアップが入力されたと判断された時、ポータブル端末は、Ｓ５３５で電子書籍の左側の横面に表示されたページ数分がめくられて、めくられたページ数に対応する前のページを画面に表示する。
【００４４】
Ｓ５３３において、ドラッグが入力されている状態で右側の方向にドラッグ及びタッチアップが入力されていないことが判断された時、ポータブル端末はＳ５３４においてドラッグが入力されている状態で続いて左側の方向にドラッグが入力されたか否かをチェックする。
Ｓ５３４で、ドラッグが入力されている状態で続いて左側の方向にドラッグが入力されていることが判断された時、ポータブル端末はＳ５３１に戻って以下のステップを反復遂行する。
【００４５】
また、Ｓ５３４において、ドラッグが入力されている状態で続いて左側の方向にドラッグが入力されていないことが判断された時、ポータブル端末は、本発明の実施形態に係るアルゴリズムを終了する。
例えば、ドラッグが入力されている状態で、左側の方向または右側の方向へのドラッグがなく、タッチアップが入力された時、ポータブル端末は同様に、本発明の実施形態に係るアルゴリズムを終了する。
【００４６】
Ｓ５２９において、タッチダウンが入力されている状態で左側の方向にドラッグが入力されていないと判断された時、ポータブル端末はＳ５２５に戻って以下のステップを反復遂行する。
また、Ｓ５２１において、電子書籍の予め設定された左側ＵＩ作動領域でタッチダウンが入力されていないと判断された時、ポータブル端末は５０５段階に戻って以下のステップを反復遂行する。
【００４７】
図７は本発明の実施ｊ形態に係る電子書籍の機能を有するポータブル端末における電子書籍にブックマークを追加付加するための方法を示す例示図である。
図７を参照すれば、ポータブル端末は電子書籍の機能を実行して、使用者によって予め選択された電子書籍のページを画面に表示した後、ブックマークのオン（Ｏｎ）／オフ（Ｏｆｆ）スィッチがタッチされればブックマークの機能を活性化する。この時、画面の上側の一部領域は上側ＵＩ作動領域として表示され、上側ＵＩ作動領域は当該ポータブル端末に表示されるように予め設定される。
【００４８】
電子書籍が表示された画面の予め設定された上側ＵＩ作動領域で左側には、ブックマーク機能の活性化／非活性化のためのブックマークのオン（Ｏｎ）／オフ（Ｏｆｆ）スィッチが位置し、このスイッチは、例えばクリップ模様で表示できる。
また、電子書籍の予め設定された上側ＵＩ作動領域で右側には、クリップに対応するブックマークのページに移動する前の位置を自動保存するためのメニューが位置することができ、例えばこれは矢印模様に表示できる。
【００４９】
図７の（ａ）のように、電子書籍が表示された画面の上側ＵＩ作動領域でタッチダウンが入力され、タッチダウンが入力されている状態で下側の方向にドラッグが入力された時、ポータブル端末は、ブックマークの追加が要求されたと判断し、追加するブックマークに対応するクリップを生成する。
ここで、クリップの位置は、ドラッグが入力されている状態でタッチアップが入力されるまで、ドラッグの方向によって移動することができる。
【００５０】
この後、ドラッグが入力されている状態でタッチアップが入力された時、ポータブル端末はタッチアップが入力されている位置に生成したクリップを位置させる。
ここで、生成したクリップの模様、色などは、予め設定した条件に基づいて設定することができる。
別の方法として、タッチアップが入力されている位置に生成したクリップを位置させることと同時に、ポップアップ窓を通じて入力窓を表示して使用者から生成したクリップの模様、色などの情報を受け、その受けた情報によって生成したクリップの模様、色などを変更することもできる。
【００５１】
図７の（ｂ）のように、追加されたブックマークに対応するクリップに対してタッチダウンが入力されれば、ポータブル端末は、当該ブックマークのページを表示して、追加されたブックマークに対応するクリップに対するロング（ｌｏｎｇ）タッチが検知されたら、追加されたブックマークに対する情報表示が要求されると判断して、ポップアップ窓を通じて当該のブックマークに対する情報を表示する。
ここで、ロングタッチは例えば１〜２秒間の持続的なタッチを意味して、ブックマークに対する情報には、当該のブックマークの生成日付、生成時間、ブックマークのページなどの情報が含まれ。
【００５２】
追加的に、ポップアップ窓には当該ブックマークに対する情報だけでなく、メモ作成のためのメモメニューと当該ブックマークの位置変更のための移動メニューを表示することができる。
この場合、使用者からメモメニューが選択されれば、メモ窓を表示して当該ブックマークに対してメモする内容の入力を受け、使用者から移動メニューが選択されれば、ブックマークの位置変更モードを遂行して当該ブックマークに対応するクリップの位置変更の入力も受けることができる。
【００５３】
図示していないが、追加されたブックマークに対応するクリップに対してタッチダウンが入力されたら、ポータブル端末は、当該ブックマークのページを表示し、追加されたブックマークに対応するクリップに対してタッチダウンが入力されている状態で左側もしくは右側の方向にドラッグ及びタッチアップが入力されれば、ポータブル端末は追加されたブックマークに対応するブックマークのページへの移動が要求されたと判断し、当該ブックマークのページに移動する。
【００５４】
図示していないが、追加されたブックマークに対応するクリップに対してタッチダウンが入力され、タッチダウンが入力されている状態で上側の方向にドラッグ及びタッチアップが入力されれば、ポータブル端末は、追加されたブックマークの除去が要求されたと判断し、当該ブックマークに対応するクリップを削除する。
【００５５】
図８と図９は本発明の実施形態に係る電子書籍の機能を有するポータブル端末における電子書籍にブックマークを追加付与するための方法を示す流れ図である。
図８及び図９を参照すれば、ポータブル端末はＳ７０１で使用者のキー操作によって電子書籍の機能の実行要請を検知したか否かをチェックする。
【００５６】
Ｓ７０１において、電子書籍の機能の実行要請が検知された時、ポータブル端末は、Ｓ７０３において電子書籍の機能を実行し、電子書籍の機能の設定情報に基づいて、使用者によって予め選択された電子書籍のページを画面に表示する。
電子書籍の機能の設定情報には、例えば、電子書籍の機能実行時、当該電子書籍の初ページから表示するとか、あるいは当該電子書籍に対して以前閲覧したときの最後のページから表示するように予め設定することができる。
【００５７】
この後、ポータブル端末は、Ｓ７０５においてブックマークのオン（Ｏｎ）スィッチがタッチ（すなわち、タッチダウン後タッチアップ）されたか否かをチェックする。
ここで、ブックマークのオン・スィッチは、例えば、電子書籍の予め設定された上側ＵＩ作動領域で左側に位置させることができ、クリップ模様として表示することもできる。
【００５８】
他の実施形態においてブックマークのオン・スィッチは、ブックマークのオン・スィッチの機能とブックマークのオフ（Ｏｆｆ）スィッチの機能を両方遂行する一つのスィッチとして具現されることもできる。
この場合、ブックマークのオフ状態でスィッチをタッチする場合ブックマークのオン状態に遷移されてブックマーク機能が活性化され、ブックマークのオン状態でスィッチをタッチすると、ブックマークのオフ状態に遷移してブックマーク機能が非活性化されるようにすることができる。
【００５９】
Ｓ７０５において、ブックマークのオン・スィッチがタッチされたと判断された時、ポータブル端末は、Ｓ７０７においてブックマーク機能を活性化した後、Ｓ７０９に進む。
その後、ポータブル端末はＳ７０９において電子書籍が表示された画面の予め設定された上側ＵＩ作動領域でタッチダウンが入力され、タッチダウンが入力されている状態で下側の方向にドラッグが入力されたか否かをチェックする。
【００６０】
Ｓ７０９において、電子書籍が表示された画面の予め設定された上側ＵＩ作動領域でタッチダウンが入力され、タッチダウンが入力されている状態で下側の方向にドラッグが入力されたと判断された時、ポータブル端末は、ブックマークの追加が要求されたと判断してＳ７１１において追加するブックマークに対応するクリップを生成して、Ｓ７１３に進む。ここで、クリップの位置は、ドラッグが入力されている状態でタッチアップが入力されるまでドラッグ方向によって移動することができる。
【００６１】
その後、ポータブル端末は、Ｓ７１３においてドラッグが入力されている状態でタッチアップが入力されたか否かをチェックする。
Ｓ７１３において、ドラッグが入力されている状態でタッチアップが入力されたと判断された時、ポータブル端末は、Ｓ７１５においてタッチアップが入力された位置に生成したクリップを位置させて本発明の実施形態に係るアルゴリズムを終了する。
【００６２】
ここで、生成されたクリップの模様、色などは予め設定した条件で設定することができる。
他の方法として、タッチアップが入力されている位置に生成したクリップを位置させると同時に、ポップアップ窓を通じて入力窓を表示して使用者から生成したクリップの模様、色などの情報の入力を受けて、入力された情報によって生成したクリップの模様、色などを変更することもできる。
【００６３】
一方、Ｓ７０９において、電子書籍が表示された画面の予め設定された上側ＵＩ作動領域でタッチダウンが入力され、タッチダウンが入力されている状態で下側の方向にドラッグが入力されていないと判断された時、ポータブル端末は、Ｓ７１７において追加されたブックマークに対応するクリップに対してタッチダウンが入力されたか否かをチェックする。
Ｓ７１７において、追加されたブックマークに対応するクリップに対してタッチダウンが入力されたと判断された時、ポータブル端末は、Ｓ７１８において当該ブックマークのページを表示して、Ｓ７１９に進む。
【００６４】
この後、ポータブル端末はＳ７１９において追加されたブックマークに対応するクリップに対するロングタッチが検知されたか否かをチェックする。
ここで、ロングタッチは、例えば１〜２秒間の持続的なタッチを意味する。
【００６５】
Ｓ７１９において、追加されたブックマークに対応するクリップに対するロングタッチが検知された時、ポータブル端末は、追加されたブックマークに対する情報表示が要求されたと判断し、Ｓ７２０においてポップアップ窓を通じて当該ブックマークに関する情報を表示して、本発明の実施形態に係るアルゴリズムを終了する。
【００６６】
ここで、ブックマークに対する情報は、当該ブックマークの生成日付、生成時間、ブックマークのページなどである。
さらに、ポップアップ窓には当該ブックマークに対する情報だけでなく、メモ作成のためのメモメニューと当該ブックマークの位置変更のための移動メニューを表示することもできる。この場合、使用者からメモメニューが選択されれば、メモ窓を表示して当該ブックマークに対してメモする内容の入力を受け、使用者から移動メニューが選択されれば、ブックマークの位置変更モードを遂行して、当該ブックマークに対応するクリップの変更された位置の入力を受けることができる。
【００６７】
一方、Ｓ７１９において、追加されたブックマークに対応するクリップに対するロングタッチが検知されない時、ポータブル端末はＳ７２１においてタッチダウンが入力されている状態で左側もしくは右側の方向にドラッグ及びタッチアップが入力されたか否かをチェックする。
Ｓ７２１において、タッチダウンが入力されている状態で左側もしくは右側の方向にドラッグ及びタッチアップが入力されたと判断された時、ポータブル端末は、追加されたブックマークに対応するブックマークのページへの移動が要求されたと判断し、Ｓ７２２において当該ブックマークのページに移動して本発明の実施形態に係るアルゴリズムを終了する。
【００６８】
一方、Ｓ７２１において、タッチダウンが入力されている状態で左側もしくは右側の方向にドラッグ及びタッチアップが入力されていないと判断された時、ポータブル端末はＳ７２３においてタッチダウンが入力されている状態でタッチアップが入力されたか否かをチェックする。
Ｓ７２３において、タッチダウンが入力されている状態でタッチアップが入力されたと判断された時、ポータブル端末は本発明の実施形態に係るアルゴリズムを終了する
【００６９】
一方、Ｓ７２３において、タッチダウンが入力されている状態でタッチアップが入力されていないと判断された時、ポータブル端末は、Ｓ７１９に戻って以下の段階を反復遂行する。
また、Ｓ７１７において、追加されたブックマークに対応するクリップに対してタッチダウンが入力されていないと判断された時、ポータブル端末はＳ７２５において、追加されたブックマークに対応するクリップに対してタッチダウンが入力され、タッチダウンが入力されている状態で上側の方向に（例えば、上側の方向の末まで）ドラッグ及びタッチアップが入力されたか否かをチェックする。
【００７０】
Ｓ７２５において、追加されたブックマークに対応するクリップに対してタッチダウンが入力され、タッチダウンが入力されている状態で上側の方向にドラッグ及びタッチアップが入力されたと判断された時、ポータブル端末は、追加されたブックマークの除去が要求されたと判断してＳ７２７において当該ブックマークに対応するクリップを削除して、本発明の実施形態に係るアルゴリズムを終了する。
一方、Ｓ７２５において、追加されたブックマークに対応するクリップに対してタッチダウンが入力され、タッチダウンが入力されている状態で上側の方向にドラッグ及びタッチアップが入力されていないと判断された時、ポータブル端末は、Ｓ７０９に戻って以下のステップを反復遂行する。
【００７１】
前述のように、本発明によれば、電子書籍の機能を有するポータブル端末におけるアナログ感覚の電子書籍のページめくりの装置が提供され、使用者が器機の使い方を覚えなくてもあたかも実際の本をめくるような感覚で自然にコンテンツのページを切り替えることができる。
【００７２】
これまで、本明細書の詳細な説明では、具体的な実施形態について説明したが、本発明の範囲から逸脱しない限度内でさまざまな変形が可能なことは勿論である。従って、本発明は、説明した実施形態に限定されるものでなく、後述する特許請求の範囲のみならず、特許請求の範囲と均等なものも含むものである。
【符号の説明】
【００７３】
１００      制御部
１０２      メモリー
１０４      入力部
１０６      表示部
１０８      電子書籍ビューアー
１１０      通信部
【図１】
0005997889.tif 000002
【図２】
0005997889.tif 000003
【図３】
0005997889.tif 000004
【図４】
0005997889.tif 000005
【図５】
0005997889.tif 000006
【図６】
0005997889.tif 000007
【図７】
0005997889.tif 000008
【図８】
0005997889.tif 000009
【図９】
0005997889.tif 000010